(57)【要約】【課題】作業面とコスト面の双方に有用なる雨水落下防止のための工事施工法を提供する。【解決手段】１．施工しようとする建築物内の柱に雨水受けを取付け、該雨水受け下方に配水管を設ける工程。２．各柱間に幕体定着体を取り付ける工程。３．幕体の縁を適宜部材にて幕体定着体に取り付ける工程。４．幕体の中央を持ち上げ、適宜部材にて天板に取り付ける工程。  以上の各工程よりなることを特徴とする。【選択図】図１
2010053678.tif 000002
【特許請求の範囲】
【請求項１】
１．施工しようとする建築物内の柱に雨水受けを取付け、該雨水受け下方に配水管を設け  る工程。
２．各柱間に幕体定着体を取り付ける工程。
３．幕体の縁を適宜部材にて幕体定着体に取り付ける工程。
４．幕体の中央を持ち上げ、適宜部材にて天板に取り付ける工程。
以上の各工程よりなることを特徴とする建築物雨水落下防止工事施工法。
【発明の詳細な説明】
【技術分野】
【０００１】  この発明は、建築物からの雨水落下防止のための工事施工方法に関する。
【背景技術】
【０００２】  従来より、建築物工事の不良や老朽化により、雨水が室内に落下（雨漏り）する場合、この対策として必要個所に雨漏り防止工事を行うことがなされているが、本発明にて示すように、天井下方に幕状物を設けるとともに、落下した雨水を導いて地下に浸透させる方式は現在のところ見あたらない。
【発明の開示】
【発明が解決しようとする課題】
【０００３】  既述のように、建築物施工が万全でない場合には雨漏りが懸念される。また、建築物の老朽化にても同様の事態の発生が起こりうる。このような場合、一般的には雨漏り個所個々に雨水漏洩防止工事の施工がなされるが、比較的大きな建築物の場合にはこの雨漏り個所が複数に及ぶことがあり、その修復工事に多大なる時間と労力および費用を要することとなり、より効率的な対策が切望されている。
本発明は、以上のような従来からの雨漏り対策に関わる課題を解決するために発明されたもので、工事作業に係る時間と労力および施工コストに良好なる新規かつ有用なる手段を提供することを目的として開発されたものである。
【課題を解決するための手段】
【０００４】  課題を解決する手段として本発明は以下の構成とした。
すなわち、
１．施工しようとする建築物内の柱に雨水受けを取付け、該雨水受け下方に配水管を設け  る工程。
２．各柱間に幕体定着体を取り付ける工程。
３．幕体の縁を適宜部材にて幕体定着体に取り付ける工程。
４．幕体の中央を持ち上げ、適宜部材にて天板に取り付ける工程。
本発明は、以上の各工程よりなる建築物雨水落下防止工事施工法である。
【発明の効果】
【０００５】  本発明によれば、落下した雨水を幕体にて受け、この幕体は中央より四辺に向けて下降するとともに、各辺中央より隅に向けて下降する傾斜面を有し、幕体の四隅より落下する雨水を柱に設けた雨水受けにて受け、該雨水受け下部に接続される配水管にて地下に導いて浸透させることにより、使用室内への雨水落下を防ぐことのできる、有用なる工事施工法を提供することができる。
【発明を実施するための最良の形態】
【０００６】  以下、本発明の実施形態について説明する。
図において、Ａは建築物の構造体である。床上に等間隔にて金属製中空角体による柱ａが立設され、各柱間所定高さにＨ型鋼材により梁ｂが設けられている。
各柱の所定位置に、図のごとく合成樹脂製の雨水受け１が取り付けられる。この雨水受けは略角状の底板部と、該底板部外縁から立ち上がる側板部を有し、底板部中央には角穴が形成されるとともにこの角穴縁より立ち上がる側板部を有している。これらの構成にて、側板により囲まれる所定巾の溝状部分が形成される。また、内方側板適所には複数個の取付孔２が穿設される。この雨水受けは立て中央より二分割されている。
柱の所定個所には雌ねじが刻設され、ここにこの雨水受けが柱を挟んでビス止めされる。
また、二分割した雨水受けの当接部分は水漏れしないようにコーキング処理がなされる。
この雨水受けの底板部適所に所定径の孔が穿設され、この孔に排水管３が接続される。
この配水管の下端は、床面の孔を貫通して下方に延び、地中に位置する。
４は添着体である。この添着体は、前記Ｈ型鋼下面に取り付けられる金属製の箱体である。この箱体の一端面には図のごとく、Ｌ形小板体による係止板５が固着され、他端には孔６が穿設されるとともに、この孔に一致して箱体内にナットが固着されている。
この添着体は図６のごとく、その上面をＨ型鋼に当接させるとともに、係止板下面と添着体上面との間隙にＨ型鋼の下部を挿入し、孔を有する別設のＬ形板体よりなる固定板７をボルトにて前記ナットに螺着させることにより、この添着体はＨ型鋼に添着される。
この添着体は、Ｈ型鋼に所定間隔を有して複数個取り付けられ、添着体下面には各々長さを違えた折曲板体による接続板８が垂下固着される。【０００７】  ９は幕体定着体である。この幕体定着体は、所定径所定長の金属管体を中央で鈍角に折曲して形成され、図２にて示すように接続板下端に固着される。１０は幕体で、本例では防水加工を施したテント布を用いた。このテント布の外周近傍には金属環体にて補強された孔部分が連設されており、この孔を用いて幕体外周は前記の幕体定着体に細ロープ１１にて結びつけられる。１２は支持布体である。この支持布体は長方形状の小布片であり、その両端近傍には金属環体にて補強された孔部分が設けられている。この支持布体は２枚が用意され、相互に中央を重ねてクロスに幕体中央に縫着される。
前記Ｈ型鋼の上方には金属製の天板ｃが設けられており、この天板適所に、環状部分と雄ねじを有する金属性の吊り金具１３が、天板に刻設される雌ねじにて螺着される。
支持布体は図７のようにロープを用いて吊り金具に結びつけられる。
以上の構成から、図１にて示すように、天板下方に略四角錐形状の幕体が位置し、この幕体はその中央を最上位置としてその四辺に向かってなだらかな下降傾斜面を有するとともに、各辺の隅に向かう下降傾斜面を有しており、幕体四隅は前記の雨水受けの溝状個所の直上に位置し、雨水落下防止構造と排水構造が形成される。【０００８】  本例の施工手順は以下の通りである。
まず、準備として、施工しようとする建築物内の柱のサイズと間隔、梁のサイズと高さ、天板高さを採寸し、雨水受け、排水管、幕体、幕体定着体、、接続板、添着体等の設計とサイズ選定を行い、必要物を製作する。
施工現場へ制作物を運び、以下の手順により施工を行う。
１．柱の選定位置へ雌ねじを刻設し、この雌ねじを利用して雨水受けを取り付ける。
また、床面に貫通孔を穿設し、排水管を取り付ける。
２．添着体を梁（Ｈ型鋼）の選定個所に取り付ける。
３．接続板を添着体に固着し、この接続板に幕体定着体を固着する。
４．天板の選定位置に吊り金具を取付け、あらかじめ支持布体を縫着した幕体の中央を細  ロープ等を用いて吊り金具に取り付ける。
５．幕体の辺を細ロープにて幕体定着体に取り付ける。
以上にて本発明が完成する。
本工事施工後は、雨水が落下しても幕体が下方に位置するので、雨水はこの幕体上面に沿って下方に移動し、雨水受けにて受けられ、この雨水受けに接続されている排水管にて土中へと導かれ、土中に浸透し拡散される。【０００９】  以上、本発明について記したが、本発明は天板下方に幕体を張設し、この幕体で受けた雨滴を雨水受けにて受け、排水管にて建築物下方の土中に浸透拡散させるところにその特徴を有するものである。従来は、雨漏り個所個々の工事が必要であり、複数個所の雨漏りの場合には多くの手間と時間を要するものであったが、本施工法にてこれらの課題を解決するものとなったのである。
本例では梁のＨ型鋼の下面に箱形の添着体を取り付ける構成としたので、梁に対する加工が不要となり、本品取り外し後も梁は施工前と同様の状態を保つことができる。
なお、幕体の勾配については実験の結果、幕体中央から辺までおよび幕体辺から隅まで２度以上が必要との知見が得られた。既述の施工手順は一例であり、適宜に手順変更や同時進行を行ってもよい。なお、本例は実施の一例であり、近似の他の構成としてもよい。
以上のごとく、本発明によって有用性に富んだ雨水落下防止工事の施工法を得ることができる。
【図面の簡単な説明】
【００１０】
【図１】  本発明の施工状態説明図（斜視図・一部略）
【図２】  本発明の施工状態図（正面図）
【図３】  本発明の雨水受けの斜視図
【図４】  本発明の添着体の斜視図
【図５】  本発明の要部説明図（Ｈ型鋼への幕体定着体取付状態）
【図６】  本発明の要部説明図（Ｈ型鋼への幕体定着体取付状態）
【図７】  本発明の要部説明図（幕体吊持部分）
【符号の説明】
【００１１】  １    雨水受け
２    取付孔
３    排水管
４    添着体
５    係止板
６    孔
７    固定板
８    接続板
９    幕体定着体
１０  幕体
１１  細ロープ
１２  支持布体
１３  吊り金具
Ａ    構造体
ａ    柱
ｂ    梁
ｃ    天板
【図１】
2010053678.tif 000003
【図２】
2010053678.tif 000004
【図３】
2010053678.tif 000005
【図４】
2010053678.tif 000006
【図５】
2010053678.tif 000007
【図６】
2010053678.tif 000008
【図７】
2010053678.tif 000009